【手続補正書】
【提出日】令和3年1月29日(2021.1.29)
【手続補正１】
【補正対象書類名】特許請求の範囲
【補正対象項目名】全文
【補正方法】変更
【補正の内容】
【特許請求の範囲】
【請求項１】
ゲームを実行する実行手段と、
前記ゲームについての対価の支払いを、各々支払方法の異なる第１の形態と第２の形態とで受け付ける受付手段と、
前記ゲームに係るゲーム要素に対応した物品を提供可能に構成された提供手段と、
前記実行手段、前記受付手段及び前記提供手段を制御する制御手段と、
を備え、
前記制御手段は、
前記ゲームについて前記第１の形態での対価の支払いに基づき決済した場合に、前記物品を提供するよう前記提供手段を制御し、
前記ゲームについて前記第２の形態での対価の支払いに基づき決済した場合に、追加ゲーム要素の情報とともに前記物品を提供するよう前記提供手段を制御するゲーム装置。
【請求項２】
前記追加ゲーム要素の情報は、前記ゲームを有利に進行せしめる情報である請求項１に記載のゲーム装置。
【請求項３】
前記制御手段は、前記受付手段により受け付けられた対価の支払いの決済を条件として、前記ゲームを実行するように前記実行手段を制御する請求項１または２に記載のゲーム装置。
【請求項４】
前記第１の形態での支払いは、現実通貨を用いて対価を支払うものであり、
前記第２の形態での支払いは、電子的に決済可能な仮想通貨を用いて対価を支払うものである
請求項１乃至３のいずれか１項に記載のゲーム装置。
【請求項５】
前記第２の形態での支払いの決済方式が、電子マネー決済である請求項４に記載のゲーム装置。
【請求項６】
前記第２の形態での対価の支払いがなされる場合に、該支払いに用いられる識別情報を有するカードに対応付けられた仮想通貨の残高情報を取得する取得手段をさらに備え、
前記制御手段は、前記取得手段により取得された前記残高情報が、前記ゲームについて予め定められた対価の額以上の残高を示す場合に、前記物品を提供するよう前記提供手段を制御する請求項５に記載のゲーム装置。
【請求項７】
外部のサーバと通信する通信手段をさらに備え、
前記識別情報を有するカードに対応付けられた前記残高情報は、前記外部のサーバにおいて管理され、
前記取得手段は、前記通信手段を介して前記サーバから前記残高情報を取得する
請求項６に記載のゲーム装置。
【請求項８】
前記第２の形態での支払いの決済方式が、支払い用に発行された識別情報に基づく電子決済である請求項５に記載のゲーム装置。
【請求項９】
前記識別情報を表示する表示手段と、
前記識別情報に基づく決済が完了したか否かを確認する確認手段と、
をさらに備え、
前記制御手段は、前記確認手段により前記識別情報に基づく決済の完了が確認された場合に、前記物品を提供するよう前記提供手段を制御する請求項８に記載のゲーム装置。
【請求項１０】
外部のサーバと通信する通信手段をさらに備え、
前記識別情報の発行、及び、前記識別情報に基づく決済は、前記外部のサーバにおいて行われ、
前記確認手段は、前記通信手段による前記外部のサーバからの決済完了情報の受信に基づいて、前記識別情報に基づく決済の完了を確認する請求項９に記載のゲーム装置。
【請求項１１】
前記受付手段は、前記第１の形態での対価の支払いにおいて要件とする対価の額と、前記第２の形態での対価の支払いにおいて要件とする対価の額とに、異なる額を設定可能に構成される請求項１乃至１０のいずれか１項に記載のゲーム装置。
【請求項１２】
前記第１の形態での対価の支払いにおいて要件とする対価の額は、前記第２の形態での対価の支払いにおいて要件とする対価の額よりも安価に設定される請求項１１に記載のゲーム装置。
【請求項１３】
ゲーム用物品と、該ゲーム用物品を提供するゲーム装置と、該ゲーム装置と通信可能に設けられたサーバと、で構成されるゲームシステムであって、
前記ゲーム装置は、
ゲームを実行する実行手段と、
前記ゲームについての対価の支払いを、各々支払方法の異なる第１の形態と第２の形態とで受け付ける受付手段と、
前記サーバと通信する通信手段と、
前記ゲームに係るゲーム要素に対応した前記ゲーム用物品を提供可能に構成された提供手段と、
前記実行手段、前記受付手段、前記通信手段及び前記提供手段を制御する制御手段と、
を備え、
前記制御手段は、
前記ゲームについて前記第１の形態での対価の支払いに基づき決済した場合に、前記ゲーム用物品を提供するよう前記提供手段を制御し、
前記ゲームについて前記第２の形態での対価の支払いに基づき決済した場合に、追加ゲーム要素の情報とともに前記ゲーム用物品を提供するよう前記提供手段を制御するゲームシステム。
【請求項１４】
コンピュータを、請求項１乃至１２のいずれか１項に記載のゲーム装置の制御手段として機能させるプログラム。
【手続補正２】
【補正対象書類名】明細書
【補正対象項目名】０００４
【補正方法】変更
【補正の内容】
【０００４】
特許文献１のように硬貨の投入が要件付けられているゲーム装置においてゲームプレイをするためには、ユーザは対価を用意する必要がある。一般的なゲーム装置は、釣り銭を返却する機能を有していないため、繰り返しのゲームプレイを所望するユーザは、所持していた硬貨がなくなった際には、ゲーム装置あるいは待機列を離れ、両替等を行って硬貨を用意する必要があった。
ところで、上述したように業務用のゲーム筐体等のゲーム装置には、製造コスト面や集金容易性の観点から、慣習的に釣り銭の払出機能が設けられていない。このため、ゲーム装置の利用に係る現実通貨の対価は、例えば１００円硬貨１枚等、釣り銭の払出機能を有さずともユーザが用意し易い額に設定されてきている。即ち、このような事情から、ゲーム装置における１回のゲームプレイについて設定される現実通貨の対価の額は、物価の変動（特に物価の上昇）に合わせた変更が困難である実情がある。
一方で、仮想通貨であれば、釣り銭の払出機能を要さずに決済処理ができるため、対価の額を現実通貨を使用する場合と異なる額に変更することも可能である。即ち、例えば物価が上昇した場合に、仮想通貨について設定する対価の額を、現実通貨について設定された対価の額（固定）よりも高額に設定することもできる。
しかしながら、このように現実通貨での支払いと仮想通貨での支払いとで、サービス利用に必要な対価の額に差を設ける場合、サービス利用するユーザ間での公平性が担保されなくなる可能性があった。
【手続補正３】
【補正対象書類名】明細書
【補正対象項目名】０００５
【補正方法】変更
【補正の内容】
【０００５】
本発明は、複数種類の対価の支払い方式間で公平性を担保したサービスを提供するゲームシステム、ゲーム装置及びプログラムを提供することを目的とする。
【手続補正４】
【補正対象書類名】明細書
【補正対象項目名】０００６
【補正方法】変更
【補正の内容】
【０００６】
本発明のゲーム装置は、ゲームを実行する実行手段と、ゲームについての対価の支払いを、各々支払方法の異なる第１の形態と第２の形態とで受け付ける受付手段と、ゲームに係るゲーム要素に対応した物品を提供可能に構成された提供手段と、実行手段、受付手段及び提供手段を制御する制御手段と、を備え、制御手段は、ゲームについて第１の形態での対価の支払いに基づき決済した場合に、物品を提供するよう提供手段を制御し、ゲームについて第２の形態での対価の支払いに基づき決済した場合に、追加ゲーム要素の情報とともに物品を提供するよう提供手段を制御する。
【手続補正５】
【補正対象書類名】明細書
【補正対象項目名】０００７
【補正方法】変更
【補正の内容】
【０００７】
このような構成により本発明によれば、複数種類の対価の支払い方式間で公平性を担保したサービスを提供することが可能となる。